(57)【要約】      （修正有）【課題】相互に異なる複数の金融機関により提供される金融サービスに係る審査を少なくとも部分的に促進することが可能な装置、方法及びコンピュータプログラムを提供する。【解決手段】サーバ装置１０は、ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用される。通信回線を介して前記端末装置から前記ユーザに関するユーザ情報を受信する受信手段と、前記ユーザが前記保険に加入することができるか否かに関する査定を前記ユーザ情報に基づいてコンピュータを用いて自動的に実行する査定手段と、通信回線を介して前記査定の結果に関する査定結果情報を前記端末装置に送信する送信手段と、を具備する。【選択図】図５
2018025963.tif 000002
【特許請求の範囲】
【請求項１】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置であって、
通信回線を介して前記端末装置から前記ユーザに関するユーザ情報を受信する受信手段と、
前記ユーザが前記保険に加入することができるか否かに関する査定を前記ユーザ情報に基づいてコンピュータを用いて自動的に実行する査定手段と、
通信回線を介して前記査定の結果に関する査定結果情報を前記端末装置に送信する送信手段と、
を具備することを特徴とするサーバ装置。
【請求項２】
前記査定結果情報は、前記ユーザが前記保険に加入することができるという結果を示す情報を含む、請求項１に記載のサーバ装置。
【請求項３】
当該サーバ装置は、前記ウェブサイトに含まれた識別情報により識別される特定ウェブサイトを運用し、該特定ウェブサイトを介して前記ユーザにより操作可能な端末装置と通信することが可能である、請求項１又は請求項２に記載のサーバ装置。
【請求項４】
前記受信手段は、前記ユーザ情報として、前記ユーザの氏名及び生年月日に関する情報を少なくとも含む基本情報、並びに、前記ユーザの傷病及び／又は障がいに関する情報を少なくとも含む告知情報を受信する、請求項１から請求項３のいずれかに記載のサーバ装置。
【請求項５】
前記受信手段は、前記ユーザによって最終的に確認された前記ユーザ情報を受信した後は、前記ユーザによって修正された前記ユーザ情報を受信しない、請求項１から請求項４のいずれかに記載のサーバ装置。
【請求項６】
前記送信手段が、前記ユーザが前記保険への加入を申し込むための申込書であって前記ユーザに関する情報を含む申込書を前記ユーザにより操作可能な端末装置に送信した後であって、当該サーバ装置と前記ユーザにより操作可能な端末装置との間の接続が一旦切断された後にあっては、
前記送信手段は、再度、前記申込書を前記ユーザにより操作可能な端末装置に送信しない、請求項１から請求項５のいずれかに記載のサーバ装置。
【請求項７】
前記送信手段は、通信回線を介して前記ユーザについて前記査定が実行された旨を示す情報を前記第１の金融機関により運用される端末装置に送信する、請求項１から請求項６のいずれかに記載のサーバ装置。
【請求項８】
前記送信手段は、前記受信手段が通信回線を介して前記ユーザについて前記査定結果情報を要求する旨の信号を前記第１の金融機関により運用される端末装置から受信することに応じて、通信回線を介して前記ユーザについて前記査定結果情報を前記第１の金融機関により運用される端末装置に送信する、請求項１から請求項７のいずれかに記載のサーバ装置。
【請求項９】
前記送信手段は、前記ユーザ情報に含まれた前記ユーザの傷病及び／又は障がいに関する情報を、前記第１の金融機関により運用される端末装置には送信しない、請求項１から請求項８のいずれかに記載のサーバ装置。
【請求項１０】
前記送信手段は、前記受信手段が受信した前記ユーザ情報を、通信回線を介して前記第２の金融機関により運用される端末装置に送信する、請求項１から請求項９のいずれかに記載のサーバ装置。
【請求項１１】
前記受信手段は、前記査定をコンピュータにより自動的に実行することができないと判断された前記ユーザについて、前記第２の金融機関により運用される端末装置のオペレータにより入力された前記査定結果情報を、通信回線を介して前記第２の金融機関により運用される端末装置から受信する、請求項１から請求項１０のいずれかに記載のサーバ装置。
【請求項１２】
ユーザに対する融資を審査する第１の金融機関により運用されるウェブサイトを介して、前記融資に関連した保険に対する前記ユーザの加入を審査する第２の金融機関により運用されるサーバ装置に接続可能に設けられた、前記ユーザにより操作可能な端末装置であって、
通信回線を介して前記ユーザに関するユーザ情報を前記サーバ装置に送信する送信手段と、
前記ユーザが前記保険に加入することができるか否かに関して前記ユーザ情報に基づいて前記サーバ装置によりコンピュータを用いて自動的に実行された査定の結果に関する査定結果情報を、通信回線を介して前記サーバ装置から受信する受信手段と、
を具備することを特徴とする端末装置。
【請求項１３】
前記査定結果情報は、前記ユーザが前記保険に加入することができるという結果を示す情報を含む、請求項１２に記載の端末装置。
【請求項１４】
ユーザに対する融資を審査する第１の金融機関により運用される端末装置であって、前記融資に関連した保険に対する前記ユーザの加入を審査する第２の金融機関により運用されるサーバ装置に通信回線を介して接続可能に設けられた端末装置であって、
前記ユーザに関するユーザ情報に基づいて前記サーバ装置によりコンピュータを用いて前記ユーザが前記保険に加入することができるか否かに関する査定が自動的に実行された旨を示す情報を、通信回線を介して前記サーバ装置から受信する受信手段、
を具備することを特徴とする端末装置。
【請求項１５】
前記ユーザについて前記査定の結果に関する査定結果情報を要求する旨の信号を通信回線を介して前記サーバ装置に送信する送信手段、をさらに具備する請求項１４に記載の端末装置。
【請求項１６】
前記受信手段は、通信回線を介して前記ユーザについて前記査定結果情報を前記サーバ装置から受信する、請求項１４又は請求項１５に記載の端末装置。
【請求項１７】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、に通信回線を介して接続可能に設けられた、前記第２の金融機関により運用される端末装置であって、
前記ユーザにより操作可能な端末装置により送信され前記サーバ装置により受信された前記ユーザに関するユーザ情報を、通信回線を介して前記サーバ装置から受信する受信手段と、
前記保険に加入することができるか否かに関する査定を前記ユーザ情報に基づいてコンピュータを用いて自動的に実行することができないと前記サーバ装置により判断された前記ユーザについて、前記第２の金融機関により運用される当該端末装置のオペレータから前記査定の結果に関する査定結果情報を入力する入力手段と、
通信回線を介して前記査定結果情報を前記サーバ装置に送信する送信手段と、
を具備することを特徴とする端末装置。
【請求項１８】
ユーザにより操作可能な端末装置と、前記ユーザに対する融資を審査する第１の金融機関により運用されるウェブサイトを介して、前記端末装置と通信可能に設けられ、前記融資に関連した保険に対する前記ユーザの加入を審査する第２の金融機関により運用されるサーバ装置と、の間においてなされる方法であって、
前記端末装置が通信回線を介して前記ユーザに関するユーザ情報を前記サーバ装置に送信する段階と、
前記サーバ装置が、前記ユーザが前記保険に加入することができるか否かに関する査定を前記ユーザ情報に基づいてコンピュータを用いて自動的に実行する段階と、
前記サーバ装置が、通信回線を介して前記査定の結果に関する査定結果情報を前記端末装置に送信する段階と、
を含むことを特徴とする方法。
【請求項１９】
前記査定結果情報は、前記ユーザが前記保険に加入することができるという結果を示す情報を含む、請求項１８に記載の方法。
【請求項２０】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、にインストール可能なコンピュータプログラムであって、
前記サーバ装置を、
通信回線を介して前記端末装置から前記ユーザに関するユーザ情報を受信する受信手段、
前記ユーザが前記保険に加入することができるか否かに関する査定を前記ユーザ情報に基づいてコンピュータを用いて自動的に実行する査定手段、及び、
通信回線を介して前記査定の結果に関する査定結果情報を前記端末装置に送信する送信手段、
として機能させることを特徴とするコンピュータプログラム。
【請求項２１】
前記査定結果情報は、前記ユーザが前記保険に加入することができるという結果を示す情報を含む、請求項２０に記載のコンピュータプログラム。
【請求項２２】
ユーザに対する融資を審査する第１の金融機関により運用されるウェブサイトを介して、前記融資に関連した保険に対する前記ユーザの加入を審査する第２の金融機関により運用されるサーバ装置に接続可能に設けられた、前記ユーザにより操作可能な端末装置、にインストールされるコンピュータプログラムであって、
前記端末装置を、
通信回線を介して前記ユーザに関するユーザ情報を前記サーバ装置に送信する送信手段、
前記ユーザが前記保険に加入することができるか否かに関して前記ユーザ情報に基づいて前記サーバ装置によりコンピュータを用いて自動的に実行された査定の結果に関する査定結果情報を、通信回線を介して前記サーバ装置から受信する受信手段、
として機能させることを特徴とするコンピュータプログラム。
【請求項２３】
前記査定結果情報は、前記ユーザが前記保険に加入することができるという結果を示す情報を含む、請求項２２に記載のコンピュータプログラム。
【請求項２４】
ユーザに対する融資を審査する第１の金融機関により運用される端末装置であって、前記融資に関連した保険に対する前記ユーザの加入を審査する第２の金融機関により運用されるサーバ装置に通信回線を介して接続可能に設けられた端末装置、にインストールされるコンピュータプログラムであって、
前記端末装置を、
前記ユーザに関するユーザ情報に基づいて前記サーバ装置によりコンピュータを用いて前記ユーザが前記保険に加入することができるか否かに関する査定が自動的に実行された旨を示す情報を、通信回線を介して前記サーバ装置から受信する受信手段、
として機能させることを特徴とするコンピュータプログラム。
【請求項２５】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、に通信回線を介して接続可能に設けられた、前記第２の金融機関により運用される端末装置、にインストールされるコンピュータプログラムであって、
前記端末装置を、
前記ユーザにより操作可能な端末装置により送信され前記サーバ装置により受信された前記ユーザに関するユーザ情報を、通信回線を介して前記サーバ装置から受信する受信手段、
前記保険に加入することができるか否かに関する査定を前記情報に基づいてコンピュータを用いて自動的に実行することができないと前記サーバ装置により判断された前記ユーザについて、前記第２の金融機関により運用される当該端末装置のオペレータから前記査定の結果に関する査定結果情報を入力する入力手段、及び、
通信回線を介して前記査定結果情報を前記サーバ装置に送信する送信手段、
として機能させることを特徴とするコンピュータプログラム。
【発明の詳細な説明】
【技術分野】
【０００１】
本出願において開示される技術は、相互に異なる複数の金融機関により提供される金融サービスに係る審査に用いられる装置、方法及びコンピュータプログラムに関する。
【背景技術】
【０００２】
ユーザが第１の金融機関から金融サービス（融資等）を受けようとする際に、そのユーザは、第１の金融機関とは別の第２の金融機関により提供される金融サービス（保険等）に加入することを求められる場合がある。例えば、非特許文献１に示されているように、ユーザが第１の金融機関（銀行等）から融資（住宅ローン等）の提供を受けようとする際に、そのユーザは、第２の金融機関（生命保険会社等）により提供される保険（団体信用生命保険等）に加入することを要求される場合がある。団体信用生命保険とは、第１の金融機関を保険契約者とし、第１の金融機関から融資を受けるユーザ（賦払債務者）を被保険者とする保険であって、被保険者であるユーザが死亡又は所定の高度障害状態になった場合に、第２の金融機関が、所定の保険金を保険契約者である第１の金融機関に支払い、その保険金をもって当該債務の返済に充当することを目的とした保険である。
【０００３】
このように相互に異なる複数の金融機関により実行される金融サービスに係る審査に関しては、まず第２の金融機関が、ユーザが第２の金融機関により提供される金融サービス（保険等）に加入することができるか否かに関する審査を完了した後に、第１の金融機関が、ユーザが第１の金融機関により提供される金融サービス（融資等）を受けることができるか否かに関する審査を実行する。
【先行技術文献】
【非特許文献】
【０００４】
【非特許文献１】株式会社新生銀行、“住宅ローン  団体信用生命保険”、［online］、［平成２８年７月１日検索］、インターネット（URL:http://www.shinseibank.com/powerflex/housing/for_borrower/insurance.html）
【発明の概要】
【発明が解決しようとする課題】
【０００５】
相互に異なる複数の金融機関により実行される金融サービスに係る審査をより効率的に実行することが求められている。そこで、様々な実施形態により、相互に異なる複数の金融機関により提供される金融サービスに係る審査を少なくとも部分的に促進することが可能な装置、方法及びコンピュータプログラムを提供する。
【課題を解決するための手段】
【０００６】
本発明の一態様に係るサーバ装置は、ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置であって、通信回線を介して前記端末装置から前記ユーザに関するユーザ情報を受信する受信手段と、前記ユーザが前記保険に加入することができるか否かに関する査定を前記ユーザ情報に基づいてコンピュータを用いて自動的に実行する査定手段と、通信回線を介して前記査定の結果に関する査定結果情報を前記端末装置に送信する送信手段と、を具備するものである。
本発明の一態様に係る端末装置は、ユーザに対する融資を審査する第１の金融機関により運用されるウェブサイトを介して、前記融資に関連した保険に対する前記ユーザの加入を審査する第２の金融機関により運用されるサーバ装置に接続可能に設けられた、前記ユーザにより操作可能な端末装置であって、通信回線を介して前記ユーザに関するユーザ情報を前記サーバ装置に送信する送信手段と、前記ユーザが前記保険に加入することができるか否かに関して前記ユーザ情報に基づいて前記サーバ装置によりコンピュータを用いて自動的に実行された査定の結果に関する査定結果情報を、通信回線を介して前記サーバ装置から受信する受信手段と、を具備するものである。
本発明の別の態様に係る端末装置は、ユーザに対する融資を審査する第１の金融機関により運用される端末装置であって、前記融資に関連した保険に対する前記ユーザの加入を審査する第２の金融機関により運用されるサーバ装置に通信回線を介して接続可能に設けられた端末装置であって、前記ユーザに関するユーザ情報に基づいて前記サーバ装置によりコンピュータを用いて前記ユーザが前記保険に加入することができるか否かに関する査定が自動的に実行された旨を示す情報を、通信回線を介して前記サーバ装置から受信する受信手段、を具備するものである。
本発明のさらに別の態様に係る端末装置は、ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、に通信回線を介して接続可能に設けられた、前記第２の金融機関により運用される端末装置であって、前記ユーザにより操作可能な端末装置により送信され前記サーバ装置により受信された前記ユーザに関するユーザ情報を、通信回線を介して前記サーバ装置から受信する受信手段と、前記保険に加入することができるか否かに関する査定を前記ユーザ情報に基づいてコンピュータを用いて自動的に実行することができないと前記サーバ装置により判断された前記ユーザについて、前記第２の金融機関により運用される当該端末装置のオペレータから前記査定の結果に関する査定結果情報を入力する入力手段と、通信回線を介して前記査定結果情報を前記サーバ装置に送信する送信手段と、を具備するものである。
本発明の一態様に係る方法は、ユーザにより操作可能な端末装置と、前記ユーザに対する融資を審査する第１の金融機関により運用されるウェブサイトを介して、前記端末装置と通信可能に設けられ、前記融資に関連した保険に対する前記ユーザの加入を審査する第２の金融機関により運用されるサーバ装置と、の間においてなされる方法であって、前記端末装置が通信回線を介して前記ユーザに関するユーザ情報を前記サーバ装置に送信する段階と、前記サーバ装置が、前記ユーザが前記保険に加入することができるか否かに関する査定を前記ユーザ情報に基づいてコンピュータを用いて自動的に実行する段階と、前記サーバ装置が、通信回線を介して前記査定の結果に関する査定結果情報を前記端末装置に送信する段階と、を含むものである。
本発明の一態様に係るコンピュータプログラムは、ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、にインストール可能なコンピュータプログラムであって、前記サーバ装置を、通信回線を介して前記端末装置から前記ユーザに関するユーザ情報を受信する受信手段、前記ユーザが前記保険に加入することができるか否かに関する査定を前記ユーザ情報に基づいてコンピュータを用いて自動的に実行する査定手段、及び、通信回線を介して前記査定の結果に関する査定結果情報を前記端末装置に送信する送信手段、として機能させるものである。
本発明の別の態様に係るコンピュータプログラムは、ユーザに対する融資を審査する第１の金融機関により運用されるウェブサイトを介して、前記融資に関連した保険に対する前記ユーザの加入を審査する第２の金融機関により運用されるサーバ装置に接続可能に設けられた、前記ユーザにより操作可能な端末装置、にインストールされるコンピュータプログラムであって、前記端末装置を、通信回線を介して前記ユーザに関するユーザ情報を前記サーバ装置に送信する送信手段、前記ユーザが前記保険に加入することができるか否かに関して前記ユーザ情報に基づいて前記サーバ装置によりコンピュータを用いて自動的に実行された査定の結果に関する査定結果情報を、通信回線を介して前記サーバ装置から受信する受信手段、として機能させるものである。
本発明のさらに別の態様に係るコンピュータプログラムは、ユーザに対する融資を審査する第１の金融機関により運用される端末装置であって、前記融資に関連した保険に対する前記ユーザの加入を審査する第２の金融機関により運用されるサーバ装置に通信回線を介して接続可能に設けられた端末装置、にインストールされるコンピュータプログラムであって、前記端末装置を、前記ユーザに関するユーザ情報に基づいて前記サーバ装置によりコンピュータを用いて前記ユーザが前記保険に加入することができるか否かに関する査定が自動的に実行された旨を示す情報を、通信回線を介して前記サーバ装置から受信する受信手段、として機能させるものである。
本発明のさらに別の態様に係るコンピュータプログラムは、ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、に通信回線を介して接続可能に設けられた、前記第２の金融機関により運用される端末装置、にインストールされるコンピュータプログラムであって、前記端末装置を、前記ユーザにより操作可能な端末装置により送信され前記サーバ装置により受信された前記ユーザに関するユーザ情報を、通信回線を介して前記サーバ装置から受信する受信手段、前記保険に加入することができるか否かに関する査定を前記情報に基づいてコンピュータを用いて自動的に実行することができないと前記サーバ装置により判断された前記ユーザについて、前記第２の金融機関により運用される当該端末装置のオペレータから前記査定の結果に関する査定結果情報を入力する入力手段、及び、通信回線を介して前記査定結果情報を前記サーバ装置に送信する送信手段、として機能させるものである。
【図面の簡単な説明】
【０００７】
【図１】図１は、本発明の一実施形態に係る審査システムの構成の一例を示すブロック図である。
【図２】図２は、図１に示した審査システムに用いられるサーバ装置１０の構成の一例を示すブロック図である。
【図３】図３は、図１に示した審査システムに用いられる生命保険端末装置２０（銀行端末装置５０）の構成の一例を示すブロック図である。
【図４】図４は、図１に示した審査システム１に用いられるユーザ端末装置３０（銀行端末装置５０）の構成の一例を示すブロック図である。
【図５】図５は、図１に示した審査システム１に用いられるサーバ装置１０が有する機能の一例を示したブロック図である。
【図６】図６は、図１に示した審査システム１に用いられる生命保険端末装置２０が有する機能の一例を示したブロック図である。
【図７】図７は、図１に示した審査システム１に用いられるユーザ端末装置３０が有する機能の一例を示したブロック図である。
【図８】図８は、図１に示した審査システム１に用いられる銀行端末装置５０の機能の一例を示したブロック図である。
【図９Ａ】図９は、図１に示した審査システム１において行われる動作の第１例を示すフロー図である。
【図９Ｂ】図９は、図１に示した審査システム１において行われる動作の第１例を示すフロー図である。
【図１０Ａ】図１０Ａは、図９Ａに示した第１例においてユーザ端末装置３０の表示部に表示される画面の一例を示す模式図である。
【図１０Ｂ】図１０Ｂは、図９Ａに示した第１例においてユーザ端末装置３０の表示部に表示される画面の一例を示す模式図である。
【図１０Ｃ】図１０Ｃは、図９Ａに示した第１例においてユーザ端末装置３０の表示部に表示される画面の一例を示す模式図である。
【図１０Ｄ】図１０Ｄは、図９Ａに示した第１例においてユーザ端末装置３０の表示部に表示される画面の一例を示す模式図である。
【図１０Ｅ】図１０Ｅは、図９Ａに示した第１例においてユーザ端末装置３０の表示部に表示される画面の一例を示す模式図である。
【図１０Ｆ】図１０Ｆは、図９Ａに示した第１例においてユーザ端末装置３０の表示部に表示される画面の一例を示す模式図である。
【図１０Ｇ】図１０Ｇは、図９Ａに示した第１例においてユーザ端末装置３０の表示部に表示される画面の一例を示す模式図である。
【図１０Ｈ】図１０Ｈは、図９Ａに示した第１例においてユーザ端末装置３０の表示部に表示される画面の一例を示す模式図である。
【図１１】図１１は、図１に示した審査システム１において行われる動作の第２例を示すフロー図である。
【発明を実施するための形態】
【０００８】
以下、添付図面を参照して本発明の様々な実施形態について説明する。なお、添付図面において共通する構成要件には同一の参照符号が付されている。
【０００９】
以下、最も好ましい形態として、第１の金融機関である銀行により提供される金融サービス（住宅ローン）に関して、第２の金融機関である生命保険会社が、ユーザがこの生命保険会社により提供される金融サービス（団体信用生命保険）に加入することができるか否かに関する審査を実行した後、銀行が、ユーザが住宅ローンの提供を受けることができるか否かに関する審査を実行する場合に着目して説明する。
【００１０】
１．一実施形態に係る審査システムの概要
図１は、本発明の一実施形態に係る審査システムの構成の一例を示すブロック図である。図１に示すように、審査システム１は、主に、生命保険会社により運用されるサーバ装置１０と、生命保険会社により運用されサーバ装置１０に対して専用の通信回線を介して接続される複数の端末装置２０−１、２０−２、・・・、２０−Ｎ（以下「生命保険端末装置２０」と総称することがある。）と、各ユーザにより操作可能であってサーバ装置１０に対してインターネット等を含む通信網４０を介して接続される複数の端末装置３０−１、３０−２、・・・、３０−Ｎ（以下「ユーザ端末装置３０」と総称することがある。）と、銀行により運用されサーバ装置１０に対して通信網４０を介して接続される複数の端末装置５０−１、５０−２、・・・、５０−Ｎ（以下「銀行端末装置５０」と総称することがある。）と、を含む。
【００１１】
なお、別の実施形態では、生命保険端末装置２０は、サーバ装置１０に対して通信網４０を介して接続されるものであってもよく、銀行端末装置５０は、サーバ装置１０に対して専用の通信回線を介して接続されるものであってもよく、及び／又は、ユーザ端末装置３０は、サーバ装置１０に対して専用の通信回線を介して接続されるものであってもよい。
【００１２】
ユーザにより操作可能なユーザ端末装置３０は、サーバ装置１０に接続され、銀行により提供される住宅ローンに関連した団体信用生命保険に対する加入を申込むための手続きを実行する。ユーザ端末装置３０は、例えば銀行により運用されるウェブサイトを介してサーバ装置１０に接続される。かかるウェブサイトは、通信網４０に接続された図示しないウェブサーバにより提供される。
【００１３】
サーバ装置１０は、ユーザにより操作可能なユーザ端末装置３０及び／又はユーザにより操作可能な銀行端末装置５０から申し込まれた団体信用生命保険に対する加入について査定を実行し、その査定の結果をユーザ端末装置３０及び／又は銀行端末装置５０に送信する。
サーバ装置１０に接続される生命保険端末装置２０は、サーバ装置１０により自動的に実行できなかった査定について、生命保険会社の社員等により行われた査定の結果を入力してサーバ装置１０に送信する。
【００１４】
銀行の店舗等においてユーザにより操作可能な銀行端末装置５０は、サーバ装置１０に接続され、団体信用生命保険に対する加入を申込むための手続きを実行する。銀行端末装置５０は、例えば銀行により運用されるウェブサイトを介してサーバ装置１０に接続される。かかるウェブサイトは、通信網４０に接続された図示しないウェブサーバにより提供される。
また、銀行の社員等により操作可能な銀行端末装置５０は、サーバ装置１０により自動的に実行された査定の結果、及び／又は、生命保険会社の社員等により行われた査定の結果であって生命保険端末装置２０を介してサーバ装置１０により受信された査定の結果を、サーバ装置１０から受信する。
なお、銀行端末装置５０としては、ユーザにより操作可能な銀行端末装置及び銀行の社員等により操作可能な銀行端末装置が、別々に設けられるようにしてもよい。
【００１５】
２．審査システム１を構成する各装置の構成
次に、上述した審査システム１を構成する各装置、すなわち、サーバ装置１０、生命保険端末装置２０、ユーザ端末装置３０及び銀行端末装置５０のそれぞれの構成の一例を説明する。
【００１６】
２−１．サーバ装置１０の構成
図２は、図１に示した審査システムに用いられるサーバ装置１０の構成の一例を示すブロック図である。図２に示すように、サーバ装置１０は、ＣＰＵ１１と、メインメモリ１２と、ユーザインターフェイス（Ｉ／Ｆ）１３と、通信インターフェイス（Ｉ／Ｆ）１４と、外部メモリ１５と、ディスクドライブ１６と、を含み、これらの各構成要素がバス１７を介して互いに電気的に接続されている。
【００１７】
ＣＰＵ１１は、外部メモリ１５からオペレーティングシステム、及び、様々な機能を実現するためのプログラム等をメインメモリ１２にロードし、ロードしたプログラムに含まれる命令を実行する。メインメモリ１２は、ＣＰＵ１０１が実行するプログラムを格納するために用いられ、例えばＤＲＡＭによって構成される。
ＣＰＵ１１は、ユーザ端末装置３０、生命保険端末装置２０及び銀行端末装置５０の各々から受信した情報に基づいて、様々な処理及び演算を実行する。また、ＣＰＵ１１は、ユーザ端末装置３０及び／又は銀行端末装置５０から受信した情報に応じて、ウェブページを表示するためのＨＴＭＬデータを生成する。
【００１８】
ユーザＩ／Ｆ１３は、例えば、オペレータの入力を受け付けるキーボードやマウス等の情報入力装置と、ＣＰＵ１１の演算結果を出力する液晶ディスプレイ等の情報出力装置と、を含む。通信Ｉ／Ｆ１４は、ハードウェア、ファームウェア、ＴＣＰ／ＩＰドライバやＰＰＰドライバ等の通信用ソフトウェア、又は、これらの組み合わせとして実装される。なお、サーバ装置１０は、通信Ｉ／Ｆ１４を用いて、ユーザ端末装置３０、生命保険端末装置２０及び銀行端末装置５０と通信可能に接続される。
【００１９】
外部メモリ１５は、例えば磁気ディスクドライブで構成され、様々な機能を実現するためのプログラム等の様々なプログラムが記憶される。また、外部メモリ１５には、これらのプログラムにおいて用いられる各種データも記憶されうる。
【００２０】
ディスクドライブ１６は、ＣＤ−ＲＯＭ、ＤＶＤ−ＲＯＭ、ＤＶＤ−Ｒ等の各種の記憶メディアに格納されたデータを読み込み、又は、これらの記憶メディアにデータを書き込む。
【００２１】
このような構成を有するサーバ装置１０は、階層構造を有する複数のウェブページから成るウェブサイトを管理するウェブサーバとして機能し、ユーザ端末装置３０及び／又は銀行端末装置５０に対して、団体信用生命保険に対する加入の申込みのための手続きを実行させることができる。ユーザ端末装置３０及び／又は銀行端末装置５０に備えられたブラウザソフトウェアは、ウェブページを表示するためのＨＴＭＬデータをサーバ装置１０から取得し、取得したＨＴＭＬデータを解析して、当該ウェブページをユーザ端末装置３０及び／又は銀行端末装置５０に提示することができる。このウェブページを表示するためのＨＴＭＬデータも外部メモリ１５に記憶されうる。ＨＴＭＬデータは、ＨＴＭＬ等のマークアップ言語で記述されたＨＴＭＬ文書から成り、このＨＴＭＬ文書には、タグを利用して様々な画像を関連付けることができる。また、ＨＴＭＬ文書には、ＡｃｔｉｏｎＳｃｒｉｐｔやＪａｖａＳｃｒｉｐｔ（登録商標）等のスクリプト言語等で記述されたプログラムを埋め込むことができる。
このように、サーバ装置１０は、団体信用生命保険に対する加入の申込みのための手続きに用いられるウェブサイトを管理し、このウェブサイトを構成するウェブページをユーザ端末装置３０及び／又は銀行端末装置５０からの要求に応じて配信することにより、ユーザに団体信用生命保険に対する加入の申込みのための手続きを実行させることができる。
【００２２】
２−２．生命保険端末装置２０の構成
生命保険端末装置２０は、一実施形態において、サーバ装置１０と通信可能な任意の情報処理装置であって、例えば、携帯電話機、スマートフォン、パーソナルコンピュータ、タッチパッドを含むが、これらには限られない。
図３は、図１に示した審査システムに用いられる生命保険端末装置２０（銀行端末装置５０）の構成の一例を示すブロック図である。図３に示すように、生命保険端末装置２０は、図３に示すように、ＣＰＵ２１、メインメモリ２２と、ユーザインターフェイス（Ｉ／Ｆ）２３と、通信インターフェイス（Ｉ／Ｆ）２４と、外部メモリ２５と、を含み、これらの各構成要素がバス２６を介して互いに電気的に接続されている。
なお、後述するように、銀行端末装置５０は、ここで説明する生命保険端末装置２０と同様の構成を有することが可能なものである。
【００２３】
ＣＰＵ２１は、外部メモリ２５からオペレーティングシステム等の様々なプログラムをメインメモリ２２にロードし、ロードしたプログラムに含まれる命令を実行する。メインメモリ２２は、ＣＰＵ２１が実行するプログラムを格納するために用いられ、例えばＤＲＡＭによって構成される。
【００２４】
ユーザＩ／Ｆ２３は、例えば、ユーザの入力を受け付けるタッチパネル、キーボード、ボタンやマウス等の情報入力装置と、ＣＰＵ２１の演算結果を出力する液晶ディスプレイ等の情報出力装置と、を含む。通信Ｉ／Ｆ２４は、ハードウェア、ファームウェア、又は、ＴＣＰ／ＩＰドライバやＰＰＰドライバ等の通信用ソフトウェア又はこれらの組み合わせとして実装され、専用の通信回線（通信網４０であってもよい）を介してサーバ装置１０と通信可能に構成される。
外部メモリ２５は、例えば磁気ディスクドライブやフラッシュメモリ等により構成され、オペレーティングシステム等の様々なプログラムを記憶する。
【００２５】
このような構成を有する生命保険端末装置２０（銀行端末装置５０）は、ＣＰＵ２１が、外部メモリ２５から専用のプログラムをメインメモリ２２にロードし、ロードしたプログラムに含まれる命令を実行することによって、生命保険端末装置２０（銀行端末装置５０）のオペレータが、ユーザＩ／Ｆ２３及び通信Ｉ／Ｆ２４を介して、サーバ装置１０との間で様々な情報のやり取りを行うことができる。
【００２６】
なお、生命保険端末装置２０がサーバ装置１０により提供されるウェブサイトを介してサーバ装置１０と接続される場合には、生命保険端末装置２０は、後述するユーザ端末装置３０と同様の構成を有するものであってよい。
【００２７】
２−３．ユーザ端末装置３０の構成
ユーザ端末装置３０は、一実施形態において、サーバ装置１０から取得したウェブサイトのウェブページをウェブブラウザ上で表示することができる任意の情報処理装置であって、例えば、携帯電話機、スマートフォン、パーソナルコンピュータ、タッチパッドを含むが、これらには限られない。
【００２８】
図４を参照してユーザ端末装置３０の構成を説明する。図４は、図１に示した審査システム１に用いられるユーザ端末装置３０（銀行端末装置５０）の構成の一例を示すブロック図である。ユーザ端末装置３０は、図４に示すように、ＣＰＵ３１、メインメモリ３２と、ユーザインターフェイス（Ｉ／Ｆ）３３と、通信インターフェイス（Ｉ／Ｆ）３４と、外部メモリ３５と、を含み、これらの各構成要素がバス３６を介して互いに電気的に接続されている。
なお、後述するように、銀行端末装置５０は、ここで説明するユーザ端末装置３０と同様の構成を有することが可能なものである。
【００２９】
ＣＰＵ３１は、外部メモリ３５からオペレーティングシステム等の様々なプログラムをメインメモリ３２にロードし、ロードしたプログラムに含まれる命令を実行する。メインメモリ３２は、ＣＰＵ３１が実行するプログラムを格納するために用いられ、例えばＤＲＡＭによって構成される。
【００３０】
ユーザＩ／Ｆ３３は、例えば、ユーザの入力を受け付けるタッチパネル、キーボード、ボタンやマウス等の情報入力装置と、ＣＰＵ３１の演算結果を出力する液晶ディスプレイ等の情報出力装置と、を含む。通信Ｉ／Ｆ３４は、ハードウェア、ファームウェア、又は、ＴＣＰ／ＩＰドライバやＰＰＰドライバ等の通信用ソフトウェア又はこれらの組み合わせとして実装され、通信網４０を介してサーバ装置１０と通信可能に構成される。なお、ユーザ端末装置３０は、通信Ｉ／Ｆ３４を介して、サーバ装置１０と通信可能に接続される。
外部メモリ３５は、例えば磁気ディスクドライブやフラッシュメモリ等により構成され、オペレーティングシステム等の様々なプログラムを記憶する。
【００３１】
このような構成を有するユーザ端末装置３０は、例えば、ＨＴＭＬ形式のファイル（ＨＴＭＬデータ）を解釈して画面表示するためのブラウザソフトウェアを備えており、このブラウザソフトウェアの機能によりサーバ装置１０から取得したＨＴＭＬデータを解釈して、受信したＨＴＭＬデータに対応するウェブページを表示することができる。また、ユーザ端末装置３０は、ブラウザソフトウェアに組み込まれるプラグインソフト（例えば、アドビシステムズ社から提供されているＦＬＡＳＨ Ｐｌａｙｅｒ）（ＦＬＡＳＨは商標）を備えており、ＨＴＭＬデータに埋め込まれたＳＷＦ形式のファイルをサーバ装置１０から取得し、当該ＳＷＦ形式のファイルをブラウザソフトウェア及びプラグインソフトを用いて実行することができる。
【００３２】
ユーザ端末装置３０においてＨＴＭＬ形式のファイル（ＨＴＭＬデータ）が解釈されると、例えば、このファイルにおいて指定されたアニメーションや操作用アイコンがユーザ端末装置３０の画面に表示される。ユーザは、ユーザ端末装置３０の入力インターフェイス（例えば、タッチスクリーンやボタン）を用いて、団体信用生命保険に対する加入を申込むための手続きを進めるために必要な指示を入力することができる。ユーザから入力された指示は、ユーザ端末装置３０のブラウザ等のプラットフォームの機能を通じてサーバ装置１０に伝達される。
【００３３】
２−４．銀行端末装置５０の構成
銀行端末装置５０は、一実施形態において、ユーザにより操作可能なユーザ端末装置３０と同様の機能を有するものである。すなわち、銀行端末装置５０は、一実施形態において、サーバ装置１０から取得したウェブサイトのウェブページをウェブブラウザ上で表示することができる任意の情報処理装置であって、例えば、携帯電話機、スマートフォン、パーソナルコンピュータ、タッチパッドを含むが、これらには限られない。
さらに、このような銀行端末装置５０は、一実施形態において、銀行の社員等により操作可能な端末装置であってサーバ装置と様々な情報のやり取りを行う端末装置として機能することができるものである。
この意味において、銀行端末装置５０は、上述したユーザ端末装置３０（図４）及び生命保険端末装置２０（図３）と同様の構成を有するものとすることができる。
【００３４】
３．審査システム１を構成する各装置が有する機能
次に、上述した審査システム１を構成する各装置、すなわち、サーバ装置１０、生命保険端末装置２０、ユーザ端末装置３０及び銀行端末装置５０のそれぞれが有する機能の一例を説明する。
【００３５】
３−１．サーバ装置１０の機能
図５は、図１に示した審査システム１に用いられるサーバ装置１０が有する機能の一例を示したブロック図である。図５に示すように、サーバ装置１０は、主に、受信部１１０と、査定部１１２と、送信部１１４と、制御・処理部１１６と、記憶部１１８と、を含む。
【００３６】
受信部１１０は、通信網４０を含む通信回線を介してユーザにより操作可能なユーザ端末装置３０及び／又はユーザにより操作可能な銀行端末装置５０からユーザに関するユーザ情報を受信する。
査定部１１２は、ユーザが団体信用生命保険に加入することができるか否かに関する査定をユーザ情報に基づいてコンピュータを用いて自動的に実行する。
送信部１１４は、通信網４０を含む通信回線介して査定の結果に関する査定結果情報をユーザにより操作可能なユーザ端末装置３０及び／又はユーザにより操作可能な銀行端末装置５０に送信する。
制御・処理部１１６は、上記各部を制御するとともに、様々な情報処理を行う。
記憶部１１８は、上記各部により処理される情報等を含む様々な情報を記憶する。
【００３７】
サーバ装置１０が有する上記各部は、例えば図２を参照して説明したハードウェア構成によって実現可能なものである。上記各部は、後に「４．審査システム１の動作」において説明するサーバ装置１０の動作を実現するために用いられるものである。
【００３８】
また、サーバ装置１０が有する上記各部は、ＣＰＵ１１が、外部メモリ１５にインストールされた所定のプログラムをメインメモリ１２にロードし、ロードしたプログラムに含まれた命令を実行することによって、サーバ装置１０により実現される機能である。
【００３９】
３−２．生命保険端末装置２０の機能
図６は、図１に示した審査システム１に用いられる生命保険端末装置２０が有する機能の一例を示したブロック図である。図６に示すように、生命保険端末装置２０は、主に、受信部１２０と、入力部１２２と、送信部１２４と、制御・処理部１２６と、記憶部１２８と、を含む。
【００４０】
受信部１２０は、ユーザにより操作可能な端末装置３０及び／又はユーザにより操作可能な銀行端末装置５０により送信されサーバ装置１０により受信されたユーザ情報を、通信回線（通信網４０を含むものであってもよい）を介してサーバ装置１０から受信する。
入力部１２２は、団体信用生命保険に加入することができるか否かに関する査定をユーザ情報に基づいてコンピュータを用いて自動的に実行することができないとサーバ装置１０により判断されたユーザについて、生命保険会社により運用される生命保険端末装置２０のオペレータから査定の結果に関する査定結果情報を入力する。
送信部１２４は、通信回線（通信網４０を含むものであってもよい）を介して査定結果情報をサーバ装置１０に送信する。
制御・処理部１２６は、上記各部を制御するとともに、様々な情報処理を行う。
記憶部１２８は、上記各部により処理される情報等を含む様々な情報を記憶する。
【００４１】
生命保険端末装置２０が有する上記各部は、例えば図３を参照して説明したハードウェア構成によって実現可能なものである。上記各部は、後に「４．審査システム１の動作」において説明する生命保険端末装置２０の動作を実現するために用いられるものである。
【００４２】
また、生命保険端末装置２０が有する上記各部は、ＣＰＵ２１が、外部メモリ２５にインストールされた所定のプログラムをメインメモリ２２にロードし、ロードしたプログラムに含まれた命令を実行することによって、生命保険端末装置２０により実現される機能である。なお、所定のプログラムとしては、ウェブブラウザであってもよいし、生命保険端末装置２０のために特別に用意されたアプリケーションプログラムであってもよい。
【００４３】
３−３．ユーザ端末装置３０の機能
図７は、図１に示した審査システム１に用いられるユーザ端末装置３０が有する機能の一例を示したブロック図である。図７に示すように、ユーザ端末装置３０は、主に、送信部１３０と、受信部１３２と、制御・処理部１３４と、記憶部１３６と、を含む。
【００４４】
送信部１３０は、通信網４０を含む通信回線を介してユーザに関するユーザ情報をサーバ装置１０に送信する。受信部１３２は、ユーザが団体信用生命保険に加入することができるか否かに関してユーザ情報に基づいてサーバ装置１０によりコンピュータを用いて自動的に実行された査定の結果に関する査定結果情報を、通信網４０を含む通信回線を介してサーバ装置１０から受信する。
制御・処理部１３４は、上記各部を制御するとともに、様々な情報処理を行う。
記憶部１３６は、上記各部により処理される情報等を含む様々な情報を記憶する。
【００４５】
ユーザ端末装置３０が有する上記各部は、例えば図４を参照して説明したハードウェア構成によって実現可能なものである。上記各部は、後に「４．審査システム１の動作」において説明するユーザ端末装置３０の動作を実現するために用いられるものである。
【００４６】
また、ユーザ端末装置３０が有する上記各部は、ＣＰＵ３１が、外部メモリ３５にインストールされた所定のプログラムをメインメモリ３２にロードし、ロードしたプログラムに含まれた命令を実行することによって、ユーザ端末装置３０により実現される機能である。なお、所定のプログラムとしては、ウェブブラウザであってもよいし、ユーザ端末装置３０のために特別に用意されたアプリケーションプログラムであってもよい。
【００４７】
３−４．銀行端末装置５０の機能
図８は、図１に示した審査システム１に用いられる銀行端末装置５０の機能の一例を示したブロック図である。図８に示すように、銀行端末装置５０は、主に、送信部１５０と、受信部１５２と、制御・処理部１５４と、記憶部１５６と、を含む。
【００４８】
銀行端末装置５０は、上述したとおり、ユーザにより操作可能なユーザ端末装置３０と同様の機能を有するものである。この意味において、送信部１５０は、通信網４０を含む通信回線を介してユーザに関するユーザ情報をサーバ装置１０に送信する。受信部１５２は、ユーザが団体信用生命保険に加入することができるか否かに関してユーザ情報に基づいてサーバ装置１０によりコンピュータを用いて自動的に実行された査定の結果に関する査定結果情報を、通信網４０を含む通信回線を介してサーバ装置１０から受信する。制御・処理部１５４は、上記各部を制御するとともに、様々な情報処理を行う。記憶部１５６は、上記各部により処理される情報等を含む様々な情報を記憶する。
【００４９】
さらに、銀行端末装置５０は、上述したとおり、銀行の社員等により操作可能な端末装置であってサーバ装置１０と様々な情報のやり取りを行う端末装置として機能することができるものである。この意味において、受信部１５２は、ユーザに関するユーザ情報に基づいてサーバ装置１０によりコンピュータを用いてユーザが団体信用生命保険に加入することができるか否かに関する査定が自動的に実行された旨を示す情報を、通信回線（通信網４０を含むものであってもよい）を介してサーバ装置１０から受信する。さらに、受信部１５２は、通信回線（通信網４０を含むものであってもよい）を介してユーザについて査定結果情報をサーバ装置１０から受信する。また、送信部１５０は、ユーザについて査定結果情報を要求する旨の信号を通信回線（通信網４０を含むものであってもよい）を介してサーバ装置１０に送信する。制御・処理部１５４は、上記各部を制御するとともに、様々な情報処理を行う。記憶部１５６は、上記各部により処理される情報等を含む様々な情報を記憶する。
【００５０】
銀行端末装置５０が有する上記各部は、例えば図３及び／又は図４を参照して説明したハードウェア構成によって実現可能なものである。上記各部は、後に「４．審査システム１の動作」において説明する銀行端末装置５０の動作を実現するために用いられるものである。
【００５１】
また、銀行端末装置５０が有する上記各部は、ＣＰＵ２１（ＣＰＵ３１）が、外部メモリ２５（外部メモリ３５）にインストールされた所定のプログラムをメインメモリ２２（メインメモリ３２）にロードし、ロードしたプログラムに含まれた命令を実行することによって、銀行端末装置５０により実現される機能である。なお、所定のプログラムとしては、ウェブブラウザであってもよいし、銀行端末装置５０のために特別に用意されたアプリケーションプログラムであってもよい。
【００５２】
４．審査システム１の動作
次に、上記構成を有する審査システム１において行われる動作について説明する。
４−１．自動査定が可能である場合
まず、ユーザが団体信用生命保険に加入することができるか否かについてサーバ装置１０が自動的に査定することが可能である場合について説明する。図９Ａ及び図９Ｂは、図１に示した審査システム１において行われる動作の第１例を示すフロー図である。
まず、銀行等においてユーザに配布される団体信用生命保険への加入に関する多数の案内状（パンフレット、書簡、ハガキ等）が事前に用意される。各案内状には、その案内状に固有の認証コードが印刷されている。各認証コードは、生命保険会社に運用されるサーバ装置１０により、生成され、記憶部１１８において例えば認証コードテーブルとして（その認証コードに固有の証券番号に対応付けて）記憶されている。後述するように、各認証コードは、所定の期間（例えば１ヶ月〜３ヶ月等といった任意の期間）内のみにおいて有効なものとすることができる。
さらにまた、そのような案内状には、その案内状が配布される銀行により運用されるウェブサイトを識別する識別情報（ＵＲＬ等）が印刷されていてもよい。
【００５３】
このように用意された多数の案内状は、事前に銀行に配布される。
或るユーザ（ここでは「ユーザ甲」とする。）は、住宅ローンの借り入れを希望して、銀行（ここでは「銀行Ａ」とする。）の店舗等を訪問する。その店舗等において、ユーザ甲は、住宅ローンに関連した団体信用生命保険に関する上記案内状を受領する（又は後日銀行Ａがユーザ甲に上記案内状を郵送する）。その案内状（又はその案内状に添付されたパンフレット等）には、銀行Ａにより運用されるウェブサイトを識別する識別情報（ＵＲＬ等）が印刷されている。また、その案内状（又はその案内状に添付されたパンフレット等）には、銀行Ａにより発行されその案内状に固有の認証コードが印刷されている。
【００５４】
図９を参照すると、ステップ（以下「ＳＴ」という。）２００において、ユーザ甲は、ユーザ甲の所有するユーザ端末装置３０を用いて、上記案内状（又はその案内状に添付されたパンフレット等）に印刷されたＵＲＬにより特定されるウェブサイトであって銀行Ａにより運用されるウェブサイトにアクセスする。これにより、ステップＳＴ２０２において、ユーザ甲は、銀行Ａにより運用されるウェブサイトを閲覧する。このウェブサイトには、ユーザ甲が借り入れを希望する住宅ローンを説明したウェブサイトが含まれている。このウェブサイトには、（この住宅ローンに関連した）団体信用生命保険に係るサービスを提供する生命保険会社（ここでは「生命保険会社Ｂ」とする。）により運用されるウェブサイトを識別する識別情報（ＵＲＬ等）が含まれている。
【００５５】
ユーザ甲は、そのＵＲＬをクリックすることによって、ＳＴ２０４において、生命保険会社Ｂにより運用されるウェブサイトであって、団体信用生命保険への加入を申込むためのウェブサイトのトップページにアクセスする。図１０Ａは、そのようなトップページの一例を示す模式図である。ユーザ甲は、図１０Ａに示す画面に含まれた「利用を開始する」というアイコン２５０をクリックすることによって、図１０Ｂに示すようなログイン画面に移行する。
【００５６】
ＳＴ２０６において、ユーザ甲は、図１０Ｂに示す画面に含まれたフィールド２５０に、上記案内状に記載された上記案内状に固有の認証コード（すなわち、ユーザ甲に固有の認証コード）を入力することによって、ログインする（サーバ装置１０との接続を確立する）ことができる。
ここで、認証コードを入力することに加えて、図１０Ｂに例示するように、ユーザ甲が、画面にランダムに表示された画像に含まれた文字（ここでは「１２６９」という文字）を、フィールド２５１に入力することによって、ログインを行うことができるようになっていてもよい。一実施形態では、ユーザ甲が適切な文字を入力しない限り、処理はＳＴ２０６を繰り返す（処理がＳＴ２０８に移行しない）ようにしてもよい。
ＳＴ２０８において、サーバ装置１０は、ユーザ甲のユーザ端末装置３０から受信した認証コードが、記憶部１１８に記憶された認証コードテーブルに含まれている認証コードと一致した場合には、認証手続きを完了してＳＴ２１０に移行する（両者が一致しない場合には、処理はＳＴ２０６に戻る）。
【００５７】
一実施形態では、サーバ装置１０は、ユーザ端末装置３０から受信した認証コードが有効期限を経過したものであるか否かを判定し、受信した認証コードが有効期限を経過していない場合にのみ、処理をＳＴ２１０に移行させることができるものとしてもよい。各認証コードは上述したとおりサーバ装置１０により生成されたものであるので、サーバ装置１０は、例えば、各認証コードを生成した際にその認証コードに対応付けて生成年月日を記憶部１１８に記憶しておき、ＳＴ２０８においてユーザ端末装置３０から認証コードを受信した日とその認証コードの生成年月日とを比較することにより、ユーザ端末装置３０から受信した認証コードが有効期限を経過したものであるか否かを判断することができる。
【００５８】
ＳＴ２１０において、ユーザ端末装置３０の表示部には、ユーザ甲の基本情報を入力するための画面が図１０Ｃに示すように表示される。図１０Ｃに示すように、ユーザ甲は、このユーザ甲に関する情報として、例えば、受付番号（後述するようにオプションとして用いられ得る）、氏名漢字、氏名カナ、生年月日、性別、郵便番号、住所、電話番号、借入予定日、借入予定額、借入予定期間等の入力を促される。ユーザ甲がこれらの情報をすべて入力して「同意する」というアイコン２５２をクリックすると、これらの情報及び申込日（申込日は自動的に入力される）は、ユーザ甲に関するユーザ情報（基本情報）として、サーバ装置１０に送信される。
【００５９】
ＳＴ２１２において、サーバ装置１０は、ユーザ端末装置３０から受信した受付番号が、記憶部１１８に予め記憶されている受付番号と一致する場合には、ＳＴ２０８で用いてユーザ甲に固有の認証コードに対応付けて、これらの基本情報を記憶部１１８に(例えば告知情報テーブルにおいて)記憶する（両者が一致しない場合には、処理はＳＴ２１０に戻る）。なお、受付番号は、オプションとして用いられ得るものであり、銀行Ａにより発行されるものであって、生命保険会社Ｂのサーバ装置１０は、銀行Ａにより発行された受付番号を受信して予め記憶部１１８に記憶することができるものである。この受付番号は、ユーザ甲、銀行Ａ及び生命保険会社Ｂの３者間において共通のキーとして使用することが可能なものである。
【００６０】
ＳＴ２１４において、ユーザ端末装置３０の表示部には、団体信用生命保険に関する説明、個人情報の取り扱いに関する説明、及び、重要事項に関する説明を確認するための画面（図示せず）が表示される。ユーザ甲がこれらの説明を確認した旨を示すアイコンをクリックする（例えばこれらの説明を記載したＰＤＦにチェックを付す）と、その旨を示す情報がサーバ装置１０に送信される。
【００６１】
ＳＴ２１６において、サーバ装置１０が上記情報を確認した場合には、処理はＳＴ２１８に移行する（サーバ装置１０が上記情報を確認できない場合には、処理はＳＴ２１４に戻る）。
【００６２】
ＳＴ２１８において、ユーザ端末装置３０の表示部には、基本告知を行うための画面が図１０Ｄ及び図１０Ｅに示すように表示される。ユーザ甲が図１０Ｄ及び図１０Ｅに例示される質問事項１〜４において、該当する傷病又は障がい等がある場合には、対応する質問事項において「はい」というアイコン２５３〜２５６をクリックして、該当する病気に対応するアイコンを指定した後、図１０Ｅに示す「次へ」というアイコン２５７をクリックする。これにより、ユーザ端末装置３０は、このようにユーザ甲に入力された情報をサーバ装置１０に送信する。
【００６３】
ＳＴ２２０において、サーバ装置１０は、傷病・障がいに対応付けて記憶部１１８において傷病定義ファイルとして記憶されている所定の情報を用いて、各傷病・障がいに対応する具体的な質問事項を含む画面情報を生成してユーザ端末装置３０に送信する。
【００６４】
ＳＴ２２２において、ユーザ端末装置３０の表示部には、傷病別告知を行うための画面が図１０Ｆに示すように表示される。図１０Ｆに示す画面には、ユーザ甲がＳＴ２１８において告知した傷病・障がいについて、より詳細な回答を入力するためのアイコンが表示されている。例えば、図１０Ｆには、ユーザ甲がＳＴ２１８において「ぜんそく」、「高血圧症」、「該当病名なし」及び「視力」という傷病を告知したことに応じて、各傷病に対応して「詳細を入力」というアイコンが表示される。これらのアイコンをクリックすることにより、ユーザ甲は、詳細な質問に回答する。例えば、図１０Ｇには、「ぜんそく」について詳細な質問に回答するための画面の例が示されている。「高血圧症」、「該当病名なし」及び「視力」という傷病・障がいについても、図示しないが、詳細な質問に回答するための画面が表示される。
【００６５】
ユーザ甲が、すべての傷病・障がいについて質問に回答して、図１０Ｇに示す「次へ」というアイコンをクリックすると、ユーザ端末装置３０の表示部には、図示は省略するが、ＳＴ２１８及びＳＴ２２２においてユーザ甲が入力したすべての告知内容が、ユーザ甲による最終確認又は訂正のために表示される。
【００６６】
ユーザ甲が、画面に表示されたすべての告知内容を最終的に確認した場合には、ＳＴ２２４において、所定のアイコン（例えば「告知内容を送信する」というアイコン（図示せず）をクリックすることにより、ＳＴ２２２において回答した告知内容（告知情報）（ＳＴ２１８において回答した告知内容を含むものであってもよい）をユーザ甲のユーザ情報としてサーバ装置１０に送信する。
【００６７】
一実施形態では、この所定のアイコンをクリックした後は、ユーザ甲は、告知内容の修正ないし取消しを行うことができないものとすることができる。その旨をユーザ甲に通知すべく、画面において例えば「『告知内容を送信する』というアイコンを押下しますと、入力完了となり、当サイトでの告知内容の修正・取消しはできません。各被保険者様が、告知内容をご確認のうえ、『告知内容を送信する』というアイコンを押下して下さい。」といったメッセージが表示されるようにしてもよい。
【００６８】
ＳＴ２２６において、サーバ装置１０は、ユーザ甲に関するユーザ情報、すなわち、記憶部１１８の告知情報テーブルに記憶されたユーザ甲についての基本情報、及び、ＳＴ２２４においてユーザ端末装置３０から受信したユーザ甲についての告知情報（この告知情報も記憶部１１８の告知情報テーブルに記憶されるようにしてもよい）に基づいて、ユーザ甲が団体信用生命保険に加入することができるか否かに関する査定を、サーバ装置１０が有するルールエンジンを用いて自動的に実行することができる。
【００６９】
サーバ装置１０が用いるルールエンジンは、複数の条件の各々に対応付けて判定結果（引受可能、引受不可能、自動査定不可能等）を記憶しており、条件を入力した場合にその条件に応じて判定結果を出力することができるように構成されている。例えば、ルールエンジンは、「ユーザの告知情報にいずれの傷病ないし障がいが含まれていない」又は「ユーザの告知情報にグループ１に属する傷病ないし障がい（軽度の傷病ないし障がい）しか含まれていない」といった条件Ｘ１に対応付けて引受可能という判定結果Ｙ１を記憶したり、「ユーザの告知情報にグループ２〜５に属する傷病ないし障がい（中程度の傷病ないし障がい）が含まれている」という条件Ｘ２に対応付けて、引受不可能という判定結果Ｙ２を記憶しており、条件Ｘ１を入力した場合には、引受可能という判定結果Ｙ１を出力し、条件Ｘ２を入力した場合には、引受不可能という判定結果Ｙ２を出力することができる。このような例は、極度に簡略化した例であり、実際には、複雑な条件Ｘ（各傷病・障がいに関連した様々なパラメータを用いた条件等）に対応付けて判定結果Ｙを記憶することも可能である。
さらに別の実施形態では、ルールエンジンは、条件Ｘとして、ユーザの基本情報の告知情報だけでなく、告知情報に代えて又は告知情報とともに、基本情報を用いて生成された条件Ｘを用いてもよい。例えば、ルールエンジンは、基本情報に含まれた「借入予定額」が所定の金額（告知扱限度）以下であるかどうかを条件Ｘとして用いることも可能である。
【００７０】
サーバ装置１０は、ユーザ甲が団体生命保険に加入することができるか否かに関する査定の結果に関する査定結果情報（引受可能、引受不可能、自動査定不可能）を、例えば記憶部１１８の告知情報テーブルにおいてユーザ甲に固有の認証コードに対応付けて記憶することができる。
この後、サーバ装置１０は、ユーザ甲についての査定結果情報を含む情報をユーザ端末装置３０に送信する。
【００７１】
なお、ＳＴ２２６においては、後述するように、サーバ装置１０は、ユーザ甲についての査定が完了した場合には、その査定の結果が「引受可能、引受不可能、自動査定不可能」のいずれであっても、そのような査定が自動的に行われた旨を示す情報を銀行Ａの銀行端末装置５０に送信することができる。これにより、銀行Ａの社員等は、ユーザ甲についての生命保険会社Ｂによる査定の進捗状況を認識することができる。サーバ装置１０から銀行端末装置５０に送信される、査定が自動的に行われた旨を示す情報には、ユーザ甲に関するユーザ情報（基本情報及び／又は告知情報を構成する任意の情報）、例えばユーザ甲の認証コード、受付番号、被保険者番号、氏名等の情報を含む任意の情報が含まれていてもよい。一実施形態では、サーバ装置１０（生命保険端末装置２０であってもよい）は、所定の周期ごとに（定期的に）、新たな査定がなされた案件が存在するか否かを判定し、そのような案件が存在する場合には、そのような査定が行われた旨を示す情報を、その案件を特定する情報（例えば、ユーザの認証コード、受付番号、氏名等）を含む情報とともに銀行Ａの銀行端末装置５０に通知することができる。
【００７２】
ＳＴ２２８において、ユーザ端末装置３０の表示部には、査定の結果を示すための画面が図１０Ｈに示すように表示される。図１０Ｈには、一例として、ユーザ甲が団体生命保険に加入することができる（引受可能）という査定の結果が表示される画面が示されている。
【００７３】
ＳＴ２３０において、ユーザ甲が「印刷する」というアイコンを押下すると、ユーザ端末装置３０は、申込書及び申告書を要求する旨の信号をサーバ装置１０に送信する。これにより、ＳＴ２３２において、サーバ装置１０は、告知情報テーブルに記憶されたユーザ情報（基本情報及び告知情報）を用いて、申込書及び告知書（申込書兼告知書）を例えばＰＤＦファイルとして生成してユーザ端末装置３０に送信する。この結果、ＳＴ２３４において、ユーザ端末装置３０は、受信した申込書及び告知書を印刷することができる。印刷が完了した後、ユーザ端末装置３０は、例えば自動的にログアウトしてサーバ装置１０との接続を切断するようになっている。よって、ユーザ甲は、ウェブブラウザをいかように操作しても（例えばウェブブラウザの「戻る」ボタンをクリックしても）、再度申込書及び告知書を印刷することができない。
【００７４】
なお、本実施形態では、ユーザ甲が自身が所有するユーザ端末装置３０を用いてＳＴ２００、２０６、２１０、２１４、２１８、２２２、２２４、２２８、２３０、２３４において説明した操作を行う場合について説明したが、ユーザ甲は、銀行Ａの店舗等に設置された銀行端末装置５０を用いてどうようの操作を行うことも可能である。
【００７５】
ＳＴ２３６において、銀行Ａの社員等は、銀行Ａにより運用される銀行端末装置５０を操作して、生命保険会社Ｂのサーバ装置１０にアクセスして各ユーザについての査定結果を検索することができる。具体的には、例えば、社員等は、銀行端末装置５０を利用して、ユーザ甲に固有の情報、例えば、ユーザ甲の認証コード、受付番号、被保険者番号、氏名等の情報を検索キーとしてサーバ装置１０に送信することができる。このようなユーザ甲に関する情報は、ＳＴ２２６に関連して説明したように、例えば、サーバ装置１０がユーザ甲に関する査定を自動的に実行した際に、その旨を示す情報とともにサーバ装置１０により銀行端末装置５０に送信されたものである。
【００７６】
ＳＴ２３８において、銀行端末装置５０からユーザ甲についての査定結果を要求する信号を受信したサーバ装置１０は、受信した検索キーを用いて告知情報テーブルを検索することによって、ユーザ甲についての査定結果（ここでは「引受可能」）を取得して銀行端末装置５０に送信する。一実施形態では、サーバ装置１０は、銀行端末装置５０に対して、ユーザ甲のプライバシーを保護するために（銀行Ａの社員がユーザ甲に住宅ローンを提供するか否かを審査する際に、ユーザ甲の告知情報等は本来不要であるという事実に鑑み）、ユーザ甲についての査定結果のみを送信し、ユーザ甲のユーザ情報（基本情報及び／又は告知情報）を送信しないものとすることができ、別の実施形態では、サーバ装置１０は、銀行端末装置５０に対して、ユーザ甲についての査定結果に加えて、ユーザ甲についてのユーザ情報（基本情報及び／又は告知情報）を送信することも可能である。
【００７７】
ＳＴ２４０において、銀行端末装置５０は、サーバ装置１０から受信した情報を用いて、銀行Ａの社員等にユーザ甲についての査定の結果をその表示部において提示することができる。一実施形態では、銀行端末装置５０は、ユーザ甲のプライバシーを保護するために、ユーザ甲についての査定の結果を示す情報のみをデータとしてサーバ装置１０から受信（ダウンロード）することができる。別の実施形態では、銀行端末装置５０は、ユーザ甲についての査定の結果を示す情報だけでなく、この査定に関連する情報（例えば、ユーザ甲の基本情報及び／又は告知情報等）をデータとしてサーバ装置１０から受信（ダウンロード）することができる。
【００７８】
この結果、ＳＴ２４２において、銀行Ａの社員等は、ユーザ甲についての査定の結果を考慮して、ユーザ甲に住宅ローンを提供するか否かについて審査を実行する。ここでは、審査の結果が「引受可能」であるため、例えば、銀行Ａの社員等は、ユーザ甲に住宅ローンを提供する（融資を実行する）ことを決定し、ＳＴ２４４において本案件を銀行Ａの融資実行者に受け渡す。以後、融資実行者がユーザ甲との間で住宅ローンに関する手続きを実行する。
【００７９】
上述したＳＴ２１０〜ＳＴ２２４において、ユーザ甲がユーザ端末装置３０を用いて所定の時間（例えば３０分）以上の間、何らの操作をも行わない場合には、ユーザ甲がユーザ端末装置３０を用いてそれまでに入力した情報はすべて消去されるものとすることができる。これは、サーバ装置１０が例えばユーザ端末装置３０から何らかの情報を受信した時点から所定の時間が経過しているかを監視することにより実現可能なものである。
【００８０】
４−２．自動査定が（傷病・障がいに起因して）不可能である場合
次に、ユーザが団体信用生命保険に加入することができるか否かについてサーバ装置１０が自動的に査定することが（告知情報に含まれた傷病・障がいに起因して）不可能である場合について説明する。図１１は、図１に示した審査システム１において行われる動作の第２例を示すフロー図である。ここでは、図９Ａ及び図９Ｂを参照して説明したものと異なる部分のみに着目して説明する。
【００８１】
図９Ａに示したＳＴ２２６において、上述したように、サーバ装置１０は、ユーザ端末装置３０から受信したユーザ甲についての告知情報に基づいて、ユーザ甲が団体信用生命保険に加入することができるか否かに関する査定を、サーバ装置１０が有するルールエンジンを用いて自動的に実行する。ここでは、サーバ装置１０は、ユーザ甲についての査定結果情報（告知情報に含まれた傷病・障がいに起因して自動査定不可能）を含む情報をユーザ端末装置３０に送信する。この後、図９Ａ及び図９Ｂを参照して上述したものと同様の処理が行われ、ＳＴ２３４においてユーザ甲の端末装置３０は、上述したとおりログアウトする。
【００８２】
この後、図１１を参照すると、生命保険会社Ｂの社員等は、ユーザ甲が団体生命保険に加入することができるか否かについて査定するためには、ユーザ甲のユーザ情報（基本情報及び／又は告知情報）を確認する必要がある。よって、社員等は、ＳＴ３００において、まず、生命保険端末装置２０を操作して、ユーザ甲に固有の情報、例えば、ユーザ甲の認証コード、受付番号、被保険者番号、氏名等を検索キーとして、ユーザ甲のユーザ情報をサーバ装置１０に要求する。
【００８３】
ＳＴ３０２において、サーバ装置１０は、生命保険端末装置２０から受信した検索キーを用いて、告知情報テーブルを検索することによって、ユーザ甲についてサーバ装置１０によりなされた査定の結果（自動査定が不可能）に関する情報、並びに、ユーザ甲のユーザ情報（基本情報及び／又は告知情報）を取得して生命保険端末装置２０に送信する。
【００８４】
ＳＴ３０４において、生命保険端末装置２０の表示部には、サーバ装置１０から受信したユーザ甲のユーザ情報及び査定の結果に関する情報が表示される。ＳＴ３０６において、社員等は、生命保険端末装置２０を操作して、ユーザ甲の申込書及び告知書（申込書兼告知書）を印刷するように指示する。ＳＴ３０８において、サーバ装置１０は、ユーザ甲の申込書及び告知書を例えばＰＤＦファイルとして生成して生命保険端末装置２０に送信する。これにより、生命保険端末装置２０によりユーザ甲の申込書及び告知書が印刷される。
【００８５】
印刷されたユーザ甲の申込書及び告知書は、ＳＴ３１０において、生命保険会社の所定の部署（例えば契約査定課等）に搬送される。この部署の社員等が、申込書及び告知書の内容を精査して、ユーザ甲が団体信用生命保険に加入することができるか否かについて判断する。この後、社員等が、生命保険端末装置２０を操作して、ユーザ甲に関する査定（後方査定）の結果を入力する。
【００８６】
ＳＴ３１２において、社員等は、生命保険端末装置２０を操作して、ユーザ甲に関する後方査定の結果（引受可能又は引受不可能）に関する情報をサーバ装置１０に送信する。これにより、ＳＴ３１４において、サーバ装置１０は、ユーザ甲に関する後方査定の結果を、ユーザ甲に固有の情報（例えば認証コード）に対応付けて告知情報テーブルに記憶する。これと並行して又はこの後に、生命保険端末装置２０は、ユーザ甲について後方査定が完了した旨を示す情報を銀行Ａの銀行端末装置５０に送信する。一実施形態では、生命保険端末装置２０（サーバ装置１０であってもよい）は、所定の周期ごとに（定期的に）、新たなユーザについて後方査定がなされた案件が存在するか否かを判定し、そのような案件が存在する場合には、その案件を特定する情報（例えば、ユーザの認証コード、受付番号、氏名等）を含む情報を銀行Ａの銀行端末装置５０に通知することができる。このようにして、ＳＴ３１６において、銀行Ａの銀行端末装置５０は、新たにいずれのユーザについて後方査定が実行されたのかを示す情報を受信することができる。
【００８７】
また、ＳＴ３１２において、生命保険会社Ｂの社員等が、ユーザ甲を含むユーザについて後方査定が完了した旨及び／又は後方査定の結果を電話や書簡等を用いて、銀行Ａに通知してもよい。これによりＳＴ３１８において、銀行Ａの社員等は、ユーザ甲を含むユーザについて後方査定が実行された旨及び／又は後方査定の結果を認識することができる。
【００８８】
ＳＴ３２０において、銀行Ａの社員等は、銀行端末装置５０を操作して、後方査定がなされた案件についての一覧を要求することができる。ＳＴ３２２において、サーバ装置１０は、後方査定がなされた案件の一覧を銀行端末装置５０に送信する。ＳＴ３２４において、この一覧を見た銀行Ａの社員等は、銀行端末装置５０を操作して、サーバ装置１０に対して所定のユーザ（例えばユーザ甲）についての後方査定の結果を要求する。これに応答して、ＳＴ３２６において、銀行端末装置５０の表示部には、サーバ装置１０から受信したユーザ甲についての後方査定の結果に関する情報が表示される。
一実施形態では、銀行端末装置５０は、ユーザ甲のプライバシーを保護するために、ユーザ甲についての後方査定の結果を示す情報のみをデータとしてサーバ装置１０から受信（ダウンロード）することができる。別の実施形態では、銀行端末装置５０は、ユーザ甲についての後方査定の結果を示す情報だけでなく、この査定に関連する情報（例えば、ユーザ甲の基本情報及び／又は告知情報等）をデータとしてサーバ装置１０から受信（ダウンロード）することができる。
なお、ＳＴ３２６では、銀行端末装置５０は、そのように受信したユーザ甲についての後方査定の結果に関する情報を、（後方査定の結果を知らない）ユーザ甲のユーザ端末装置３０に送信することも可能である。これにより、ＳＴ３２８において、ユーザ甲は、ユーザ端末装置３０を操作することによって、後方査定の結果を認識することができる。
以後、図１１には示されていないが、ＳＴ２４２及び２４４（図９Ｂ参照）に関連して説明したものと同様の処理が行われる。
【００８９】
なお、ＳＴ３１２、３１６〜３２６に関する動作が後方査定に関連して行われる場合について説明したが、かかる動作は、後方査定のみに限定されるものではなく、サーバ装置１０により自動的に実行された査定にも同様に適用可能なものである。すなわち、ＳＴ３１２、３１６〜３２６に関する動作は、（矛盾が生じない限りにおいて）「後方査定」を単に「サーバ装置により自動的に実行された査定」と読み替えることも可能である。これにより、銀行Ａの社員等は、銀行端末装置５０を用いて、生命保険会社Ｂのサーバ装置１０から各ユーザについて団体信用生命保険に係る査定が自動的に実行された旨を示す情報を受け取ることができるため、各ユーザについて団体信用生命保険に係る査定の進捗状況を簡単かつ迅速に認識することができる。
【００９０】
４−３．自動査定が（借入額に起因して）不可能である場合
次に、ユーザが団体信用生命保険に加入することができるか否かについてサーバ装置１０が自動的に査定することが（基本情報に含まれた借入額に起因して）不可能である場合について説明する。ここでは、図９Ａ及び図９Ｂ並びに図１１を参照して説明したものと異なる部分のみに着目して説明する。
【００９１】
図９Ａに示したＳＴ２２６において、上述したように、サーバ装置１０は、ユーザ端末装置３０から受信したユーザ甲についての告知情報に基づいて、ユーザ甲が団体信用生命保険に加入することができるか否かに関する査定を、サーバ装置１０が有するルールエンジンを用いて自動的に実行する。ここでは、サーバ装置１０は、ユーザ甲についての査定結果情報（基本情報に含まれた借入額に起因して自動査定不可能）を含む情報をユーザ端末装置３０に送信する。この後、図９Ａを参照して上述したとおり、ＳＴ２２８におけるものと同様の処理が行われる。
【００９２】
この場合、図９Ａに示したＳＴＳＴ２２８の後（であって図９Ｂに示したＳＴ２３０の前に）、新たなＳＴ４００、４０２、４０４（図示しない）が実行される。ＳＴ４００では、ユーザ甲は、ユーザ端末装置３０を操作して、サーバ装置１０に対して健康診断書（健診書）を印刷する旨を要求する。ＳＴ４０２において、サーバ装置１０は、例えば記憶部１１８に記憶された健康診断書のフォームをＰＤＦファイルとして生成してユーザ端末装置３０に送信する。これにより、ＳＴ４０４において、ユーザ甲は、医師に記入させる健康診断書のフォームをユーザ端末装置３０を用いて印刷することができる。この後は、図９Ｂを参照して上述したとおり、ＳＴ２３０、２３２、２３４が実行される。
【００９３】
この後、ユーザ甲は、医師により所定の事項が記載された健康診断書を銀行Ａに郵送する。これにより、この健康診断書は、銀行Ａから生命保険会社Ｂの上記所定の部署（例えば契約査定課等）に郵送等により搬送される。或いはまた、銀行Ａの社員等が、ユーザ甲から受領した健康診断書を電子化して銀行端末装置５０を用いて生命保険会社Ｂの生命保険端末装置２０に送信することも可能である。
【００９４】
この後、図１１を参照して上述したとおり、ＳＴ３００〜ＳＴ３０８におけるものと同様の処理が行われる。次に、図１１を参照して上述したＳＴ３１０において、この部署の社員等が、申込書及び告知書の内容に加えて、医師により記入された健康診断書の内容をも精査して、ユーザ甲が団体信用生命保険に加入することができるか否かについて判断する。この後、社員等が、生命保険端末装置２０を操作して、ユーザ甲に関する査定（後方査定）の結果を入力する。以後、図１１を参照して上述したとおり、ＳＴ３１２〜ＳＴ２３８におけるものと同様の処理が行われた後、図９Ｂを参照して上述したとおり、ＳＴＳＴ２４２、２４４におけるものと同様の処理が行われる。
【００９５】
なお、上述した実施形態では、ユーザは、銀行Ａにより運用されるウェブサイトを経由して、生命保険会社Ｂにより運用されるウェブサイトにアクセスする場合について説明したが、ユーザは、銀行Ａにより運用されるウェブサイトを経由することなく、直接、生命保険会社Ｂにより運用されるウェブサイトにアクセスするようにしてもよい。
【００９６】
また、上述した実施形態では、同一のユーザが、相互に異なる複数の認証コードを用いて、生命保険会社Ｂの団体生命保険に係る審査を受ける可能性がある。この場合には、サーバ装置１０が、ＳＴ２１２においてユーザから基本情報を受信した際に、この基本情報に含まれた氏名（漢字）、氏名（カナ）、生年月日、性別、郵便番号等のうちの複数を検索キーとして、告知情報テーブルを検索することにより、同一のユーザが相互に異なる複数の認証コードを用いて査定を受けているか否かを検出することができる。サーバ装置１０は、このような事態を検出した場合には、任意のタイミング（例えばＳＴ２３４が完了した後の時点等）において、生命保険端末装置２０に対してその旨を示した警告メッセージを送信することができる。
【００９７】
以上説明したように、上記実施形態では、各ユーザは、自身が端末装置を用いて、生命保険会社Ｂにより運用されるウェブサイトを介して、（銀行Ａの住宅ローンに関連した）団体信用生命保険に対する加入に関して生命保険会社Ｂのサーバ装置によりコンピュータを用いて自動的に行われる審査を受け、その審査の結果を当該サーバ装置から迅速に受信することができる。さらに、このような審査の結果を、銀行Ａの銀行端末装置は、当該サーバ装置から通信回線を介して迅速に受け取ることができる。したがって、銀行Ａは、そのように迅速に受信した団体信用生命保険に係る審査の結果を利用して、そのユーザについて住宅ローンに係る査定を実行することができる。
これにより、団体信用生命保険の加入に関する申込書が、ユーザから銀行Ａを介して生命保険会社Ｂに郵送される（ことによって物流による時間及びコストが生ずる）場合に比べて、生命保険会社Ｂ及び銀行Ａは、それぞれ、団体信用生命保険の加入に係る審査及び住宅ローンに係る審査を著しく早く実行することができる。
【００９８】
さらに、団体信用生命保険に係る申込みの際にユーザが申込書及び／又は告知書に入力する必要のある事項（例えば基本情報及び告知情報）は、生命保険会社Ｂにより運用されるウェブサイトを介して所定の書式に従ってユーザの端末装置から生命保険会社Ｂのサーバ装置に送信される。これにより、申込書及び／又は告知書に入力すべき事項について、記入漏れや記入間違いが生ずる可能性を効果的に抑えることができるため、ひいては、団体信用生命保険に係る審査に必要とされる時間及びコストを抑えることができる（結果として、住宅ローンに係る審査に必要とされる時間及びコストをも抑えることができる）。
このように、上記実施形態によれば、相互に異なる複数の金融機関により提供される金融サービスに係る審査を促進することが可能である。
【００９９】
さらにまた、銀行Ａの銀行端末装置は、団体信用生命保険に係る生命保険会社による各ユーザに関する審査の結果のみをサーバ装置から受信すること（すなわち、各ユーザの基本情報及び／又は告知情報をサーバ装置から受信しないようにすること）が可能であるので、各ユーザは、住宅ローンに係る審査に不要な基本情報及び／又は告知情報を銀行Ａに知られることなく、団体信用生命保険に係る審査を生命保険会社Ｂから受けることができる。これにより、各ユーザは、自己の個人情報、機密情報を保護することが可能である。
【０１００】
上記実施形態では、最も好ましい形態として、第１の金融機関である銀行により提供される金融サービス（住宅ローン）に関して、第２の金融機関である生命保険会社が、ユーザがこの生命保険会社により提供される金融サービス（団体信用生命保険）に加入することができるか否かに関する審査を実行した後、銀行が、ユーザが住宅ローンの提供を受けることができるか否かに関する審査を実行する場合に着目して説明した。しかし、本件出願において開示する技術的思想はこれに限定されるものではない。金融機関は、預金取扱等金融機関（銀行、信用金庫、労働金庫等）、金融商品取扱業者及び保険会社等をこれらに限定することなく含む。さらにまた、金融機関は、諸外国の法律等により定められた金融機関を含む。また、金融サービスは、融資に係るサービス（住宅ローン、自動車ローン、教育ローン、カードローン等、及び、本件出願の後に開発されたこれらに類似した又はこれらに等価なローン等）、並びに、このような融資に係る保険サービス（団体信用生命保険、団体信用介護保障保険、特約付団体生命保険（介護保障、疾病保障等）、収入保障保険、就業不能信用費用保険、失業信用費用保険等、及び、本件出願の後に開発されたこれらに類似した又はこれらに等価な保険等）等をこれらに限定することなく含む。
【０１０１】
上述した様々な実施形態は、矛盾が生じない限りにおいて相互に組み合わせることが可能なものである。
【０１０２】
本明細書で説明される処理及び手順は、実施形態において明示的に説明されたものによってのみならず、ソフトウェア、ハードウェア又はこれらの組み合わせによっても実現可能なものである。具体的には、本明細書で説明された処理及び手順は、集積回路、揮発性メモリ、不揮発性メモリ、磁気ディスク、光ストレージ等の媒体に、当該処理に相当するロジックを実装することによって実現される。また、本明細書で説明される処理及び手順は、それらの処理・手順をコンピュータプログラムとして実装し、各種のコンピュータに実行させることが可能である。
【０１０３】
本明細書中で説明される処理及び手順が単一の装置、ソフトウェア、コンポーネント、モジュールによって実行される旨が説明されたとしても、そのような処理又は手順は、複数の装置、複数のソフトウェア、複数のコンポーネント、及び／又は、複数のモジュールによって実行されるものとすることができる。また、本明細書中で説明されるデータ、テーブル又はデータベースが単一のメモリに格納される旨説明されたとしても、そのようなデータ、テーブル又はデータベースは、単一の装置に備えられた複数のメモリ又は複数の装置に分散して配置された複数のメモリに分散して格納されるものとすることができる。さらに、本明細書において説明されるソフトウェア及びハードウェアの要素は、それらをより少ない構成要素に統合して、又は、より多い構成要素に分解することによって実現されるものとすることができる。
【符号の説明】
【０１０４】
１  審査システム
１０  サーバ装置
２０  生命保険端末装置
３０  ユーザ端末装置
４０  通信網
５０  銀行端末装置
【図１】
2018025963.tif 000003
【図２】
2018025963.tif 000004
【図３】
2018025963.tif 000005
【図４】
2018025963.tif 000006
【図５】
2018025963.tif 000007
【図６】
2018025963.tif 000008
【図７】
2018025963.tif 000009
【図８】
2018025963.tif 000010
【図９Ａ】
2018025963.tif 000011
【図９Ｂ】
2018025963.tif 000012
【図１０Ａ】
2018025963.tif 000013
【図１０Ｂ】
2018025963.tif 000014
【図１０Ｃ】
2018025963.tif 000015
【図１０Ｄ】
2018025963.tif 000016
【図１０Ｅ】
2018025963.tif 000017
【図１０Ｆ】
2018025963.tif 000018
【図１０Ｇ】
2018025963.tif 000019
【図１０Ｈ】
2018025963.tif 000020
【図１１】
2018025963.tif 000021
【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置であって、
通信回線を介して前記端末装置から前記ユーザに関するユーザ情報を、前記第１の金融機関により運用されるコンピュータを介することなく直接的に受信する受信手段と、
前記ユーザが前記保険に加入することができるか否かに関する査定を前記ユーザ情報に基づいてコンピュータを用いて自動的に実行する査定手段であって、複数の条件の各々に対応付けて判定結果を記憶し、前記複数の条件のうち前記ユーザ情報が満たす条件に対応する判定結果を出力する処理を用いて、前記査定を実行する査定手段と、
を具備し、
前記第２の金融機関は、前記端末装置から前記受信手段により受信される前記ユーザ情報とは関係なく予め定められた金融機関であり、
前記ユーザ情報のうち、前記ユーザの傷病及び／又は障がいに関する情報を含む告知情報は、前記端末装置から前記第１の金融機関により運用されるコンピュータには送信されない、ことを特徴とするサーバ装置。
【請求項２】
通信回線を介して前記査定の結果に関する査定結果情報を前記ユーザにより操作可能な前記端末装置に送信する送信手段をさらに具備する、請求項１に記載のサーバ装置。
【請求項３】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置であって、
通信回線を介して前記端末装置から前記ユーザに関するユーザ情報を受信する受信手段と、
前記ユーザが前記保険に加入することができるか否かに関する査定を前記ユーザ情報に基づいてコンピュータを用いて自動的に実行する査定手段であって、複数の条件の各々に対応付けて判定結果を記憶し、前記複数の条件のうち前記ユーザ情報が満たす条件に対応する判定結果を出力する処理を用いて、前記査定を実行する査定手段と、
前記受信手段が通信回線を介して前記ユーザについて前記査定の結果に関する査定結果情報を要求する旨の信号を前記第１の金融機関により運用される端末装置から受信した場合にのみ、通信回線を介して前記ユーザについて前記査定結果情報を前記第１の金融機関により運用される前記端末装置に送信する送信手段と、
を具備し、
前記第２の金融機関は、前記ユーザにより操作可能な前記端末装置から前記受信手段により受信される前記ユーザ情報とは関係なく予め定められた金融機関である、ことを特徴とするサーバ装置。
【請求項４】
前記査定結果情報は、前記ユーザが前記保険に加入することができるという結果を示す情報を含む、請求項１から請求項３のいずれかに記載のサーバ装置。
【請求項５】
当該サーバ装置は、前記ウェブサイトに含まれた識別情報により識別される特定ウェブサイトを運用し、該特定ウェブサイトを介して前記ユーザにより操作可能な端末装置と通信することが可能である、請求項１から請求項４のいずれかに記載のサーバ装置。
【請求項６】
前記受信手段は、前記ユーザ情報として、前記ユーザの氏名及び生年月日に関する情報を少なくとも含む基本情報、並びに、前記ユーザの傷病及び／又は障がいに関する情報を少なくとも含む告知情報を受信する、請求項１から請求項５のいずれかに記載のサーバ装置。
【請求項７】
前記受信手段は、前記ユーザによって最終的に確認された前記ユーザ情報を受信した後は、前記ユーザによって修正された前記ユーザ情報を受信しない、請求項１から請求項６のいずれかに記載のサーバ装置。
【請求項８】
前記送信手段が、前記ユーザが前記保険への加入を申し込むための申込書であって前記ユーザに関する情報を含む申込書を前記ユーザにより操作可能な端末装置に送信した後であって、当該サーバ装置と前記ユーザにより操作可能な端末装置との間の接続が一旦切断された後にあっては、
前記送信手段は、再度、前記申込書を前記ユーザにより操作可能な端末装置に送信しない、請求項２から請求項７のいずれかに記載のサーバ装置。
【請求項９】
前記送信手段は、通信回線を介して前記ユーザについて前記査定が実行された旨を示す情報を前記第１の金融機関により運用される端末装置に送信する、請求項２から請求項８のいずれかに記載のサーバ装置。
【請求項１０】
前記送信手段は、前記ユーザ情報に含まれた前記ユーザの傷病及び／又は障がいに関する情報を、前記第１の金融機関により運用される端末装置には送信しない、請求項２から請求項９のいずれかに記載のサーバ装置。
【請求項１１】
前記送信手段は、前記受信手段が受信した前記ユーザ情報を、通信回線を介して前記第２の金融機関により運用される端末装置に送信する、請求項２から請求項１０のいずれかに記載のサーバ装置。
【請求項１２】
前記受信手段は、前記査定をコンピュータにより自動的に実行することができないと判断された前記ユーザについて、前記第２の金融機関により運用される端末装置のオペレータにより入力された前記査定結果情報を、通信回線を介して前記第２の金融機関により運用される端末装置から受信する、請求項１から請求項１１のいずれかに記載のサーバ装置。
【請求項１３】
ユーザに対する融資を審査する第１の金融機関により運用されるウェブサイトを介して、前記融資に関連した保険に対する前記ユーザの加入を審査する第２の金融機関により運用されるサーバ装置に接続可能に設けられた、前記ユーザにより操作可能な端末装置であって、
通信回線を介して前記第１の金融機関により運用されるコンピュータを介することなく直接的に前記ユーザに関するユーザ情報を前記サーバ装置に送信する送信手段であって、前記ユーザ情報のうち、前記ユーザの傷病及び／又は障がいに関する情報を含む告知情報を前記第１の金融機関により運用されるコンピュータには送信しない送信手段と、
前記ユーザが前記保険に加入することができるか否かに関して前記ユーザ情報に基づいて前記サーバ装置によりコンピュータを用いて自動的に実行された査定の結果に関する査定結果情報を、通信回線を介して受信する受信手段と、
を具備し、
前記第２の金融機関は、前記端末装置から前記サーバ装置に送信される前記ユーザ情報とは関係なく予め定められた金融機関であり、
前記査定は、複数の条件の各々に対応付けて判定結果を記憶し、前記複数の条件のうち前記ユーザ情報が満たす条件に対応する判定結果を出力する処理を用いて、前記サーバ装置により実行される、ことを特徴とする端末装置。
【請求項１４】
前記査定結果情報は、前記ユーザが前記保険に加入することができるという結果を示す情報を含む、請求項１３に記載の端末装置。
【請求項１５】
ユーザに対する融資を審査する第１の金融機関により運用される端末装置であって、前記融資に関連した保険に対する前記ユーザの加入を審査する第２の金融機関により運用されるサーバ装置に通信回線を介して接続可能に設けられた端末装置であって、
前記ユーザに関するユーザ情報に基づいて前記サーバ装置によりコンピュータを用いて前記ユーザが前記保険に加入することができるか否かに関する査定が自動的に実行された場合に、該査定の結果に関する査定結果情報を要求する旨の信号を、通信回線を介して前記サーバ装置に送信する送信手段と、
該送信手段により前記信号が送信された場合にのみ、前記査定の結果に関する査定結果情報を、通信回線を介して前記サーバ装置から受信する受信手段と、
を具備し、
前記第２の金融機関は、前記ユーザ情報とは関係なく予め定められた金融機関であり、
前記査定は、複数の条件の各々に対応付けて判定結果を記憶し、前記複数の条件のうち前記ユーザ情報が満たす条件に対応する判定結果を出力する処理を用いて、前記サーバ装置により実行される、ことを特徴とする端末装置。
【請求項１６】
前記査定結果情報は、前記ユーザが前記保険に加入することができるという結果を示す情報を含む請求項１５に記載の端末装置。
【請求項１７】
前記受信手段は、前記査定が実行された旨を示す情報を前記サーバ装置から受信する、請求項１５又は請求項１６に記載の端末装置。
【請求項１８】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、に通信回線を介して接続可能に設けられた、前記第２の金融機関により運用される端末装置であって、
前記ユーザにより操作可能な端末装置により送信され前記第１の金融機関により運用されるコンピュータを介することなく前記サーバ装置により直接的に受信された前記ユーザに関するユーザ情報を、通信回線を介して前記サーバ装置から受信する受信手段と、
前記保険に加入することができるか否かに関する査定を前記ユーザ情報に基づいてコンピュータを用いて自動的に実行することができないと前記サーバ装置により判断された前記ユーザについて、前記第２の金融機関により運用される当該端末装置のオペレータから前記査定の結果に関する査定結果情報を入力する入力手段と、
通信回線を介して前記査定結果情報を前記サーバ装置に送信する送信手段と、
を具備し、
前記第２の金融機関は、前記ユーザにより操作可能な前記端末装置から前記サーバ装置により受信される前記ユーザ情報とは関係なく予め定められた金融機関であり、
前記ユーザ情報のうち、前記ユーザの傷病及び／又は障がいに関する情報を含む告知情報は、前記ユーザにより操作可能な前記端末装置から前記第１の金融機関により運用されるコンピュータには送信されず、
前記査定は、複数の条件の各々に対応付けて判定結果を記憶し、前記複数の条件のうち前記ユーザ情報が満たす条件に対応する判定結果を出力する処理を用いて、前記サーバ装置により実行される、ことを特徴とする端末装置。
【請求項１９】
前記査定結果情報は、前記ユーザが前記保険に加入することができるという結果を示す情報を含む、請求項１８に記載の端末装置。
【請求項２０】
ユーザにより操作可能な端末装置と、前記ユーザに対する融資を審査する第１の金融機関により運用されるウェブサイトを介して、前記端末装置と通信可能に設けられ、前記融資に関連した保険に対する前記ユーザの加入を審査する第２の金融機関により運用されるサーバ装置と、の間においてなされる方法であって、
前記端末装置が通信回線を介して前記ユーザに関するユーザ情報を、前記第１の金融機関により運用されるコンピュータを介することなく直接的に前記サーバ装置に送信する段階と、
前記サーバ装置が、前記ユーザが前記保険に加入することができるか否かに関する査定を前記ユーザ情報に基づいてコンピュータを用いて自動的に実行する段階であって、複数の条件の各々に対応付けて判定結果を記憶し、前記複数の条件のうち前記ユーザ情報が満たす条件に対応する判定結果を出力する処理を用いて、前記査定を実行する段階と、
を含み、
前記第２の金融機関は、前記端末装置から前記受信手段により受信される前記ユーザ情報とは関係なく予め定められた金融機関であり、
前記ユーザ情報のうち、前記ユーザの傷病及び／又は障がいに関する情報を含む告知情報は、前記端末装置から前記第１の金融機関により運用されるコンピュータには送信されない、ことを特徴とする方法。
【請求項２１】
ユーザにより操作可能な端末装置と、前記ユーザに対する融資を審査する第１の金融機関により運用されるウェブサイトを介して、前記端末装置と通信可能に設けられ、前記融資に関連した保険に対する前記ユーザの加入を審査する第２の金融機関により運用されるサーバ装置と、の間においてなされる方法であって、
前記端末装置が通信回線を介して前記ユーザに関するユーザ情報を前記サーバ装置に送信する段階と、
前記サーバ装置が、前記ユーザが前記保険に加入することができるか否かに関する査定を前記ユーザ情報に基づいてコンピュータを用いて自動的に実行する段階であって、複数の条件の各々に対応付けて判定結果を記憶し、前記複数の条件のうち前記ユーザ情報が満たす条件に対応する判定結果を出力する処理を用いて、前記査定を実行する段階と、
前記サーバ装置が、通信回線を介して前記ユーザについて前記査定の結果に関する査定結果情報を要求する旨の信号を前記第１の金融機関により運用される端末装置から受信した場合にのみ、通信回線を介して前記ユーザについて前記査定結果情報を前記第１の金融機関により運用される前記端末装置に送信する段階と、
を含み、
前記第２の金融機関は、前記ユーザにより操作可能な前記端末装置から前記サーバ装置により受信される前記ユーザ情報とは関係なく予め定められた金融機関である、ことを特徴とする方法。
【請求項２２】
前記査定結果情報は、前記ユーザが前記保険に加入することができるという結果を示す情報を含む、請求項２０又は請求項２１に記載の方法。
【請求項２３】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、にインストール可能なコンピュータプログラムであって、
前記サーバ装置を、
通信回線を介して前記端末装置から前記ユーザに関するユーザ情報を、前記第１の金融機関により運用されるコンピュータを介することなく直接的に受信する受信手段、
前記ユーザが前記保険に加入することができるか否かに関する査定を前記ユーザ情報に基づいてコンピュータを用いて自動的に実行する査定手段であって、複数の条件の各々に対応付けて判定結果を記憶し、前記複数の条件のうち前記ユーザ情報が満たす条件に対応する判定結果を出力する処理を用いて、前記査定を実行する査定手段、及び、
として機能させ、
前記第２の金融機関は、前記端末装置から前記受信手段により受信される前記ユーザ情報とは関係なく予め定められた金融機関であり、
前記ユーザ情報のうち、前記ユーザの傷病及び／又は障がいに関する情報を含む告知情報は、前記端末装置から前記第１の金融機関により運用されるコンピュータには送信されない、ことを特徴とするコンピュータプログラム。
【請求項２４】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、にインストール可能なコンピュータプログラムであって、
前記サーバ装置を、
通信回線を介して前記端末装置から前記ユーザに関するユーザ情報を受信する受信手段、
前記ユーザが前記保険に加入することができるか否かに関する査定を前記ユーザ情報に基づいてコンピュータを用いて自動的に実行する査定手段であって、複数の条件の各々に対応付けて判定結果を記憶し、前記複数の条件のうち前記ユーザ情報が満たす条件に対応する判定結果を出力する処理を用いて、前記査定を実行する査定手段、及び、
前記受信手段が通信回線を介して前記ユーザについて前記査定の結果に関する査定結果情報を要求する旨の信号を前記第１の金融機関により運用される端末装置から受信した場合にのみ、通信回線を介して前記ユーザについて前記査定結果情報を前記第１の金融機関により運用される前記端末装置に送信する送信手段、
として機能させ、
前記第２の金融機関は、前記ユーザにより操作可能な前記端末装置から前記受信手段により受信される前記ユーザ情報とは関係なく予め定められた金融機関である、ことを特徴とするコンピュータプログラム。
【請求項２５】
ユーザに対する融資を審査する第１の金融機関により運用されるウェブサイトを介して、前記融資に関連した保険に対する前記ユーザの加入を審査する第２の金融機関により運用されるサーバ装置に接続可能に設けられた、前記ユーザにより操作可能な端末装置、にインストールされるコンピュータプログラムであって、
前記端末装置を、
通信回線を介して前記第１の金融機関により運用されるコンピュータを介することなく直接的に前記ユーザに関するユーザ情報を前記サーバ装置に送信する送信手段であって、前記ユーザ情報のうち、前記ユーザの傷病及び／又は障がいに関する情報を含む告知情報を前記第１の金融機関により運用されるコンピュータには送信しない送信手段、並びに、
前記ユーザが前記保険に加入することができるか否かに関して前記ユーザ情報に基づいて前記サーバ装置によりコンピュータを用いて自動的に実行された査定の結果に関する査定結果情報を、通信回線を介して受信する受信手段、
として機能させ、
前記第２の金融機関は、前記端末装置から前記サーバ装置に送信される前記ユーザ情報とは関係なく予め定められた金融機関であり、
前記査定は、複数の条件の各々に対応付けて判定結果を記憶し、前記複数の条件のうち前記ユーザ情報が満たす条件に対応する判定結果を出力する処理を用いて、前記サーバ装置により実行される、ことを特徴とするコンピュータプログラム。
【請求項２６】
ユーザに対する融資を審査する第１の金融機関により運用される端末装置であって、前記融資に関連した保険に対する前記ユーザの加入を審査する第２の金融機関により運用されるサーバ装置に通信回線を介して接続可能に設けられた端末装置、にインストールされるコンピュータプログラムであって、
前記端末装置を、
前記ユーザに関するユーザ情報に基づいて前記サーバ装置によりコンピュータを用いて前記ユーザが前記保険に加入することができるか否かに関する査定が自動的に実行された場合に、該査定の結果に関する査定結果情報を要求する旨の信号を、通信回線を介して前記サーバ装置に送信する送信手段、及び、
該送信手段により前記信号が送信された場合にのみ、前記査定の結果に関する査定結果情報を、通信回線を介して前記サーバ装置から受信する受信手段、
として機能させ、
前記第２の金融機関は、前記ユーザ情報とは関係なく予め定められた金融機関であり、
前記査定は、複数の条件の各々に対応付けて判定結果を記憶し、前記複数の条件のうち前記ユーザ情報が満たす条件に対応する判定結果を出力する処理を用いて、前記サーバ装置により実行される、ことを特徴とするコンピュータプログラム。
【請求項２７】
ユーザに対する融資を審査する第１の金融機関により運用されるウェブサイトを介して、前記ユーザにより操作可能な端末装置と通信可能に設けられ、前記融資に関連した保険に対する前記ユーザの加入を審査する第２の金融機関により運用されるサーバ装置、に通信回線を介して接続可能に設けられた、前記第２の金融機関により運用される端末装置、にインストールされるコンピュータプログラムであって、
前記端末装置を、
前記ユーザにより操作可能な端末装置により送信され前記第１の金融機関により運用されるコンピュータを介することなく前記サーバ装置により直接的に受信された前記ユーザに関するユーザ情報を、通信回線を介して前記サーバ装置から受信する受信手段、
前記保険に加入することができるか否かに関する査定を前記ユーザ情報に基づいてコンピュータを用いて自動的に実行することができないと前記サーバ装置により判断された前記ユーザについて、前記第２の金融機関により運用される当該端末装置のオペレータから前記査定の結果に関する査定結果情報を入力する入力手段、及び、
通信回線を介して前記査定結果情報を前記サーバ装置に送信する送信手段、
として機能させ、
前記第２の金融機関は、前記ユーザにより操作可能な前記端末装置から前記サーバ装置により受信される前記ユーザ情報とは関係なく予め定められた金融機関であり、
前記ユーザ情報のうち、前記ユーザの傷病及び／又は障がいに関する情報を含む告知情報は、前記ユーザにより操作可能な前記端末装置から前記第１の金融機関により運用されるコンピュータには送信されず、
前記査定は、複数の条件の各々に対応付けて判定結果を記憶し、前記複数の条件のうち前記ユーザ情報が満たす条件に対応する判定結果を出力する処理を用いて、前記サーバ装置により実行される、ことを特徴とするコンピュータプログラム。
【請求項２８】
前記査定結果情報は、前記ユーザが前記保険に加入することができるという結果を示す情報を含む、請求項２３から請求項２７のいずれかに記載のコンピュータプログラム。